(57)【特許請求の範囲】
【請求項１】
互いに重なり合う第１のケースと第２のケースとがケース連結部によって開閉可能に連結され、且つ前記第１のケースの裏面の所定箇所に足部が設けられた電子機器を覆って保護する保護カバーであって
前記第１のケースの裏面側に配置される第１のカバー部材と、前記第２のケースの外表面側に配置される第２のカバー部材と、前記ケース連結部に対応して前記第１、第２の各カバー部材を折曲可能に連結するカバー連結部とを備え、
前記カバー連結部と反対側に位置する前記第１、第２の各カバー部材の各角部には、前記第１、第２の各ケースの各角部をそれぞれ着脱可能に保持する保持部が設けられており、前記第１のカバー部材には、前記第１のケースの前記足部を係脱可能に係止する足係止部が設けられていることを特徴とする保護カバー。
【請求項２】
前記第１のケースの前記足部は、前記第１、第２の各ケースを所定角度に開いて前記第１のケースを載置面上に配置した際に前記第２のケースの後方への倒れを防ぐために、前記第１のケースから前記ケース連結部側の後方に向けて突出した状態で、前記第１のケースの裏面に設けられており、前記第１のカバー部材の前記足係止部は、前記足部が挿入する挿入凹部と、前記第１のケースから前記ケース連結部側の後方に向けて突出した前記足部の突出部分が係合する係合部とを備えていることを特徴とする請求項１に記載の保護カバー。
【請求項３】
前記第１のケースの前記足部は、前記第１のケースの裏面における前記ケース連結部側の両側にそれぞれ設けられており、前記第１のカバー部材は、前記第１のケースと反対側に位置する表地と前記第１のケースに対面する内地との間に芯材を設けた構成であり、前記足係止部は、前記第１のケースの前記足部に対応する前記第１のカバー部材の箇所にそれぞれ設けられて係止連結部によって連結されており、この係止連結部は前記芯材内に埋設されており、この状態で前記足係止部が前記内地側に露出していることを特徴とする請求項１または２に記載の保護カバー。
【請求項４】
前記第２のカバー部材は、前記第２のケースに着脱可能に接着するゲル状の粘着部を備えていることを特徴とする請求項１〜３のいずれかに記載の保護カバー。
【請求項５】
前記第１のカバー部材は、前記保持部側に位置する手前側部分と前記足係止部側に位置する後側部分とに分割され、この分割された手前側部分と後側部分とを切り離し可能に連結する連結部材を備えていることを特徴とする請求項１〜４のいずれかに記載の保護カバー。
【発明の詳細な説明】
【技術分野】
【０００１】
この発明は、電子辞書、電子式小型計算機、携帯型のパーソナルコンピュータなどの折畳式の電子機器を覆って保護する保護カバーに関する。
【背景技術】
【０００２】
従来、折畳式の電子機器を保護する保護カバーとしては、特許文献１に記載されているように、正面カバー部、下面カバー部、側面カバー部、およびサイドカバー部を有する厚みの薄い箱形状のカバー本体と、このカバー本体における正面カバー部と下面カバー部とを連結するバンドとを備えたものが知られている。
【特許文献１】特開平１０−２０１５１２
【０００３】
このような保護カバーにおいては、カバー本体の正面カバー部と下面カバー部とを連結するバンドを外することにより、箱形状のカバー本体内に電子機器を収納することができる。また、電子機器を使用する場合には、正面カバー部と下面カバー部とを連結するバンドを外し、正面カバー部を下面カバーに対し開いて箱形状のカバー本体を展開することにより、電子機器を下面カバー部上に配置した状態で折畳式の電子機器を開いて使用することができる。
【発明の開示】
【発明が解決しようとする課題】
【０００４】
しかしながら、このような従来の保護カバーでは、カバー本体に対して電子機器が固定されていないため、携帯時にカバー本体内で電子機器がガタツクという問題がある。また、電子機器を使用するときには、バンドを外してカバー本体を展開しなければならないため、その作業が煩雑で面倒であるという問題があるほか、使用時に電子機器が下面カバー部上で動いてしまうため、使い勝手が悪いという問題もある。
【０００５】
この発明が解決しようとする課題は、電子機器に密着して取り付けることができ、これにより電子機器を確実に且つ良好に保護することができると共に、使い勝手の良い保護カバーを提供することである。
【課題を解決するための手段】
【０００６】
この発明は、上記課題を解決するために、次のような構成要素を備えている。
請求項１に記載の発明は、互いに重なり合う第１のケースと第２のケースとがケース連結部によって開閉可能に連結され、且つ前記第１のケースの裏面の所定箇所に足部が設けられた電子機器を覆って保護する保護カバーであって
前記第１のケースの裏面側に配置される第１のカバー部材と、前記第２のケースの外表面側に配置される第２のカバー部材と、前記ケース連結部に対応して前記第１、第２の各カバー部材を折曲可能に連結するカバー連結部とを備え、
前記カバー連結部と反対側に位置する前記第１、第２の各カバー部材の各角部には、前記第１、第２の各ケースの各角部をそれぞれ着脱可能に保持する保持部が設けられており、前記第１のカバー部材には、前記第１のケースの前記足部を係脱可能に係止する足係止部が設けられていることを特徴とする保護カバーである。
【０００７】
請求項２に記載の発明は、前記第１のケースの前記足部が、前記第１、第２の各ケースを所定角度に開いて前記第１のケースを載置面上に配置した際に前記第２のケースの後方への倒れを防ぐために、前記第１のケースから前記ケース連結部側の後方に向けて突出した状態で、前記第１のケースの裏面に設けられており、前記第１のカバー部材の前記足係止部は、前記足部が挿入する挿入凹部と、前記第１のケースから前記ケース連結部側の後方に向けて突出した前記足部の突出部分が係合する係合部とを備えていることを特徴とする請求項１に記載の保護カバーである。
【０００８】
請求項３に記載の発明は、前記第１のケースの前記足部が、前記第１のケースの裏面における前記ケース連結部側の両側にそれぞれ設けられており、前記第１のカバー部材は前記第１のケースと反対側に位置する表地と前記第１のケースに対面する内地との間に芯材を設けた構成であり、前記足係止部は前記第１のケースの前記足部に対応する前記第１のカバー部材の箇所にそれぞれ設けられて係止連結部によって連結されており、この係止連結部は前記芯材内に埋設されており、この状態で前記足係止部が前記内地側に露出していることを特徴とする請求項１または２に記載の保護カバーである。
【０００９】
請求項４に記載の発明は、前記第２のカバー部材が、前記第２のケースに着脱可能に接着するゲル状の粘着部を備えていることを特徴とする請求項１〜３のいずれかに記載の保護カバーである。
【００１０】
請求項５に記載の発明は、前記第１のカバー部材が、前記保持部側に位置する手前側部分と前記足係止部側に位置する後側部分とに分割され、この分割された手前側部分と後側部分とを切り離し可能に連結する連結部材を備えていることを特徴とする請求項１〜４のいずれかに記載の保護カバーである。
【発明の効果】
【００１１】
この発明によれば、電子機器における第１のケースの裏面側に配置される第１のカバー部材の各角部と、電子機器における第２のケースの外表面側に配置される第２のカバー部材の各角部とにそれぞれ設けられた各保持部に、第１、第２の各ケースの各角部をそれぞれ着脱可能に保持させると共に、第１のカバー部材に設けられた足係止部に、第１のケースの足部を係脱可能に係止させることにより、第１、第２の各カバー部材を電子機器の外表面に密着させた状態で長時間に亘り安定して取り付けることができる。これにより、電子機器を確実に且つ良好に保護することができると共に、第１、第２の各カバー部材を電子機器に取り付けた状態で、電子機器を開閉操作することができ、且つ良好に携帯することができるので、使い勝手の良いものを得ることができる。
【発明を実施するための最良の形態】
【００１２】
（実施形態１）
以下、図１〜図１０を参照して、この発明を適用した保護カバーの実施形態１について説明する。
この保護カバー１は、図１〜図３に示すように、折畳式の電子辞書２を覆って保護するためのものであり、後述する第１カバー部材３と第２カバー部材４とカバー連結部５とを備えている。折畳式の電子辞書２は、図１〜図６に示すように、第１ケース６と第２ケース７とを備え、これら第１、第２の各ケース６、７がケース連結部８によって開閉自在に連結された構成になっている。
【００１３】
この場合、電子辞書２の第１ケース６は、図１〜図６に示すように、横方向に長いほぼ長方形の平板状に形成されており、その内面（図４では上面）には、図１に示すように、キー入力部６ａが設けられている。このキー入力部６ａは、ひらがなやアルファベットなどの文字キー、カーソルキー、機能キー、決定キーなどの辞書機能に必要な各種のキーおよびタッチ入力パネルを備えている。また、第１ケース６の内面（図４では上面）における手前側の両側部には、スピーカ部６ｂがそれぞれ設けられている。
【００１４】
また、第２ケース７は、第１ケース６と同様、横方向に長いほぼ長方形の平板状に形成され、図３および図５に示すように、第１ケース６上に重なり合うように構成されている。この第２ケース７における第１ケース６のキー入力部６ａに対向する内面（図５では下面）には、図１に示すように、表示部７ａが設けられている。この表示部７ａは、液晶表示素子やＥＬ表示素子、電子ペーパなどの平面型の表示素子からなり、キー入力部６ａの入力操作に応じて辞書情報などの各種の情報を表示するように構成されている。
【００１５】
また、電子辞書２のケース連結部８は、第１ケース６と第２ケース７とを回動可能に連結するヒンジ部であり、図４〜図６に示すように、第１、第２の各ケース６、７の後端部（図５では右端部）における各両側部に設けられている。このケース連結部８は、これを中心に第１ケース６と第２ケース７とが相対的に回転することにより、第１ケース６と第２ケース７とが互いに重なり合って閉じ、また第１ケース６に対して第２ケース７が所定角度、例えば１２０度程度の角度で開いたときに、図１に示すように、第１ケース６のキー入力部６ａおよびスピーカ部６ｂが上側に露出すると共に、第２ケース７の表示部７ａが斜め上に向けて露出するように構成されている。
【００１６】
この場合、ケース連結部８の間には、図６に示すように、電池を収納する電池収納部（いずれも図示せず）が電池蓋１２によって開閉自在に塞がれた状態で設けられている。この電池蓋１２は、平板をほぼＬ字形状に折り曲げたものであり、ケース連結部８の間に位置する第１ケース６の後面（図６では上端面）から裏面（図６では表面）に亘って配置されるように構成されている。また、この電池蓋１２は、第１ケース６の裏面に対応する部分の下面が第１ケース６の裏面と同一平面に配置されていることにより、第１ケース６の裏面の一部を構成している。
【００１７】
ところで、第１ケース６の裏面には、図６に示すように、前側の足部１３と後側の足部１４とがそれぞれ設けられている。前側の足部１３は、第１ケース６の裏面における手前側の両側にそれぞれ設けられている。後側の足部１４は、図４に示すように、第１、第２の各ケース６、７を所定角度（例えば１２０度の角度）に開いて第１ケース６を載置面Ｓ上に配置した際に第２ケース７が後方に向けて倒れるのを防ぐためのものである。この後側の足部１４は、図６に示すように、第１ケース６の裏面からケース連結部８側（つまり第１ケース６の後方）に向けて突出した状態で、ケース連結部８側に位置する後辺部における第１ケース６の裏面の両側、つまり第１ケース６の裏面と同一平面である電池蓋１２の下面の両側に設けられている。
【００１８】
一方、保護カバー１は、図１〜図３に示すように、電子辞書２の第１ケース６の裏面側に配置される第１カバー部材３と、電子辞書２の第２ケース６の外表面側（図３では上面側）に配置される第２カバー部材４と、電子辞書２のケース連結部８に対応した状態で第１カバー部材３と第２カバー部材４とを折曲可能に連結する屈曲自在のカバー連結部５とを備え、これら第１、第２の各カバー部材３、４およびカバー連結部５によって電子辞書２の外表面を覆うように構成されている。
【００１９】
この場合、第１カバー部材３の上面側における手前側の辺部、つまりカバー連結部５と反対側に位置する辺部の両側角部には、図１〜図３、および図７に示すように、電子辞書２の第１ケース６の各角部を着脱可能に保持する２つの保持部１５がそれぞれ設けられている。この保持部１５は、塩化ビニルなどの軟質合成樹脂からなる帯状のものであり、図１および図７に示すように、その一端部が第１カバー部材３の手前側の辺部に取り付けられ、他端部が第１カバー部材３の手前側の辺部に隣接する側辺部に取り付けられ、その中間部に位置する箇所と第１カバー部材３との間に第１ケース６の角部が挿入することにより、第１ケース６の角部を保持するように構成されている。
【００２０】
また、第１カバー部材３の上面側における手前側の中間部分、つまりカバー連結部５と反対側に位置する辺部の中間部分には、図７に示すように、ペンホルダ１６が第１、第２の各保持部１５の間に位置して設けられている。このペンホルダ１６は、ゴムや布などのシートをペン１７が挿入する程度の円筒状に折り曲げたものであり、その長手方向に沿う一側部が第１カバー部材３の上面側における手前側の辺部に取り付けられている。
【００２１】
さらに、第１カバー部材３の上面側における後部側の辺部、つまりカバー連結部５側に位置する辺部の両側には、図７および図８に示すように、第１ケース６の後側の足部１４を係脱可能に係止する一対の足係止部１８が帯板状の係止連結部１９によって連結された状態で設けられている。この一対の足係止部１８は、接着剤が付着しにくく且つ第１ケース６の素材よりも軟らかいテフロン（登録商標）系のエラストマなどの合成樹脂からなり、第１ケース６の各足部１４がそれぞれ上方から挿入する挿入凹部１８ａと、第１ケース６からケース連結部８側の後方に向けて突出した足部１４の突出部分がそれぞれ斜め上方から後方に向けて挿入することにより係合する係合部１８ｂとを備えている。
【００２２】
これにより、足係止部１８は、第１ケース６の後側の足部１４が挿入凹部１８ａに上方から挿入することにより、第１ケース６の足部１４が第１カバー部材３の上面における面方向のうち、左右方向（横方向）に位置ズレするのを規制している。また、この足係止部１８は、第１ケース６からケース連結部８側の後方に向けて突出した足部１４の突出部分が斜め上方から後方に向けて係合部１８ｂに挿入して係合することにより、第１ケース６の足部１４が第１カバー部材３の後方（つまりカバー連結部５側）に位置ズレするのを規制するほか、第１ケース６の足部１４が第１カバー部材３から上方に抜け出すのを規制するように構成されている。
【００２３】
この場合、第１カバー部材３は、図８〜図１０に示すように、第１ケース６と反対側である下面側に位置する表地２０と第１ケース６の裏面に対面する上面側の内地２１との間に芯材２２を設けた構成になっている。表地２０は、天然皮革、合成皮革、ポリウレタン樹脂などの素材からなり、内地２１は天然皮革、合成皮革、布などの素材からなっている。芯材２２は、中芯２２ａ、上芯２２ｂ、下芯２２ｃの３層構造で、それぞれ紙やフイルムなどの素材からなり、中芯２２ａの厚みが約１ｍｍで、上芯２２ｂと下芯２２ｃとの各厚みが約０.６ｍｍである。
【００２４】
この第１カバー部材３の中芯２２ａには、図８に示すように、一対の足係止部１８を連結する帯板状の係止連結部１９が嵌入する連結嵌合孔２３が設けられている。また、上芯２２ｂには、係止連結部１９で連結された一対の足係止部１８が下側から挿入して上方に突出する下側足挿入孔２４が連結嵌合孔２３の両端部に対応して設けられている。さらに、内地２１には、上芯２２ｂから上方に突出した一対の足係止部１８が更に下側から挿入して上方に突出する上側足挿入孔２５が上芯２２ｂの下側足挿入孔２４に対応して設けられている。
【００２５】
これにより、芯材２２は、図８および図９（ａ）に示すように、一対の足係止部１８を連結する係止連結部１９が中芯２２ａの連結嵌合孔２３に嵌入し、この状態で中芯２２ａの下面に下芯２２ｃが接着され、中芯２２ａの上面に上芯２２ｂを配置する際、係止連結部１９で連結された一対の足係止部１８が上芯２２ｂの下側足挿入孔２４に挿入して上方に突出し、この状態で中芯２２ａの上面に上芯２２ｂが接着されることにより、一対の足係止部１８の係止連結部１９が埋め込まれた構成になっている。
【００２６】
また、第１カバー部材３は、図８および図９（ａ）に示すように、芯材２２の下面に表地２０が接着され、芯材２２の上面に内地２１を配置する際、上芯２２ｂから上方に突出した一対の足係止部１８が内地２１の上側足挿入孔２５に下側から挿入して上方に突出し、この状態で芯材２２の上面に内地２１が接着された構成になっている。また、この第１カバー部材３は、カバー連結部５側に位置する辺部を除いて、表地２０の周囲が上方に向けて折り曲げられ、この折り曲げられた表地２０の周囲が内地２１の上面における周囲に折り返されて重ね合わされ、この重ね合わされた周囲が縫合糸２８によって縫合された構成になっている。
【００２７】
この縫合時には、図９（ａ）および図１０に示すように、各保持部１５の各端部とペンホルダ１６の一側部とが内地２１とその上面に折り返された表地２０との間に差し込まれて接着され、この状態で各保持部１５とペンホルダ１６が第１カバー部材３に縫合されて取り付けられる。また、このときには、カバー連結部５側に位置する辺部は、表地２０が下芯２２ｃに縫合され、内地２１が上芯２２ｂに縫合されている。そして、表地２０と同じ素材からなるカバー連結部５の一端部は、図９（ａ）に示すように、中芯２２ａと上芯２２ｂとの間に差し込まれて接着され、この状態でカバー連結部５の左右の両側部のみが図７に示すように第１カバー部材３に縫合されて取り付けられる。
【００２８】
一方、第２カバー部材４は、図１および図７に示すように、その上面側における後部側の辺部、つまりカバー連結部５と反対側に位置する上面側の辺部の両側角部に、電子辞書２の第２ケース７の各角部を着脱可能に保持する２つの保持部２３が設けられている。この保持部２３も、第１カバー部材３の保持部１５と同様、塩化ビニルなどの軟質合成樹脂からなる帯状のものであり、その一端部が第２カバー部材４の後部側の辺部に取り付けられ、他端部が第２カバー部材４の後部側の辺部に隣接する側辺部に取り付けられ、その中間部に位置する箇所と第２カバー部材４との間に第２ケース７の角部が挿入することにより、第２ケース７の角部を保持するように構成されている。
【００２９】
また、この第２カバー部材４の上面側における手前側の部分、つまりカバー連結部５側に位置する辺部側の部分には、図２、図３、および図７に示すように、電子辞書２の第２ケース７に着脱可能に接着するゲル状の粘着部２６が取付部材２７によって取り付けられている。このゲル状の粘着部２６は、その粘着力によって第２ケース７の外表面（図３では上面）に着脱可能に接着するものである。また、取付部材２７は、図７および図９（ｂ）に示すように、ポリウレタン樹脂からなる樹脂シート２７ａと、この樹脂シート２７ａ上の周囲に設けられた樹脂枠２７ｂとを備え、樹脂シート２７ａと樹脂枠２７ｂとが第２カバー部材４の上面に取り付けられ、この状態で樹脂枠２７ｂ内にゲル状の粘着部２６が上方に少し突出した状態で接着固定された構成になっている。
【００３０】
さらに、この第２カバー部材４も、第１カバー部材３と同様、第２ケース７と反対側に位置する表地２０と第２ケース７の外表面（図３では上面）に対面する内地２１との間に芯材２２を設けた構成で、図９（ｂ）に示すように、芯材２２の下面に表地２０が接着され、芯材２２の上面に内地２１が接着され、この状態でカバー連結部５側に位置する辺部を除いて表地２０の周囲が折り返されて内地２１の上面における周囲に重ね合わされ、この重ね合わされた周囲が縫合糸２８によって縫合された構成になっている。この場合にも、表地２０は、第１カバー部材３と同様、天然皮革、合成皮革、ポリウレタン樹脂などの素材からなり、内地２１は天然皮革、合成皮革、布などの素材からなっている。
【００３１】
また、芯材２２も、第１カバー部材３と同様、中芯２２ａ、上芯２２ｂ、下芯２２ｃの３層構造で、それぞれ紙やフイルムなどの素材からなり、中芯２２ａの厚みは約１ｍｍで、上芯２２ｂと下芯２２ｃとの各厚みは約０.６ｍｍである。また、粘着部２６の取付部材２７は、図９（ｂ）に示すように、表地２０の周囲を折り返して内地２１の上面における周囲に重ね合わせて縫合する前に、予め内地２１と上芯２２ｂと中芯２２ａとを重ね合わせた際に縫合されていることにより、縫合部が表地２０側に露出しないように、第２カバー部材４に取り付けられている。
【００３２】
また、表地２０の周囲を折り返して内地２１の上面における周囲に重ね合わせて縫合する際には、図９（ｂ）に示すように、第１カバー部材３と同様、各保持部２３の各端部が内地２１とその上面に折り返された表地２０との間に差し込まれて接着され、この状態で各保持部２３が第１カバー部材３に縫合されて取り付けられる。また、カバー連結部５は、その他端部が中芯２２ａと上芯２２ｂとの間に差し込まれて接着され、この状態でカバー連結部５の左右の両側部のみが図７に示すように第２カバー部材４に縫合されて取り付けられる。これにより、図７に示すように、第１カバー部材３と第２カバー部材４とは、屈曲自在のカバー連結部５によって折曲可能に連結されている。
【００３３】
次に、この保護カバー１を電子辞書２に取り付ける場合について説明する。
このときには、図１に示すように、まず、第１カバー部材３に電子辞書２の第１ケース６を取り付ける。すなわち、第１カバー部材３の手前側つまりカバー連結部５と反対側に位置する辺部の両側にそれぞれ設けられた各保持部１５に、第１ケース６の各角部を挿入させて保持する。
【００３４】
このときには、帯状の保持部１５を第１カバー部材３の上方に膨らませ、この膨らんだ保持部１５と第１カバー部材３の上面との間に第１ケース６の角部を挿入させることにより、図１に示すように、第１ケース３の角部が保持部１５によって第１カバー部材３に保持される。これにより、第１ケース６が第１カバー部材３の手前側に向けて位置ズレするのを規制すると共に、第１ケース６の各角部が左右方向（横方向）に位置ズレするのを規制し、且つ第１ケース６の各角部が第１カバー部材３から離脱するのを防いでいる。
【００３５】
この状態で、図２および図３に示すように、第１カバー部材３のカバー連結部５側に設けられた一対の足係止部１８に、第１ケース６の裏面に対応する電池蓋１２の下面に設けられた後側の足部１４を係止させる。このときには、第１ケース６の後側の足部１４を足係止部１８の挿入凹部１８ａに上方から挿入させると共に、足部１４を足係止部１８の挿入凹部１８ａ内に斜め上方から後方に向けた状態で、第１ケース６からケース連結部８側の後方に向けて突出した足部１４の突出部分を足係止部１８の係合部１８ｂ内に挿入させて係合させる。これにより、第１ケース６は、２つの保持部１５と一対の足係止部１８とによって、第１カバー部材３に密着した状態で確実に取り付けられる。
【００３６】
次いで、第２カバー部材４に電子辞書２の第２ケース７を取り付ける。このときには、図１に示すように、まず、第２カバー部材４のカバー連結部５側に位置する辺部の両側にそれぞれ設けられた各保持部２３に、第２ケース７の各角部を挿入させて保持する。このときにも、帯状の保持部２３を第２カバー部材４の上方に膨らませ、この膨らんだ保持部２３と第２カバー部材４の上面との間に第２ケース７の角部を挿入させることにより、第２ケース７の角部が保持部２３によって第２カバー部材４に保持される。
【００３７】
これにより、第２ケース７が第２カバー部材４の後方に向けて位置ズレするのを規制すると共に、第２ケース７の各角部が左右方向（横方向）に位置ズレするのを規制し、且つ第１ケース６の各角部が第１カバー部材３から離脱するのを防いでいる。この状態で、第２ケース７を第２カバー部材４に押し付けると、第２カバー部材４に取付部材２７によって取り付けられたゲル状の粘着部２６がその粘着力で第２ケース７の外側の表面に接着する。これにより、第２ケース７は、図２および図３に示すように、２つの保持部２３とゲル状の粘着部２６とによって、第２カバー部材４に密着した状態で位置ズレを起こすことなく確実に且つ良好に取り付けられる。
【００３８】
このように、この保護カバー１によれば、電子辞書２における第１ケース６の裏面側に配置される第１カバー部材３と、電子辞書２における第２ケース７の外表面側（図３における上面側）に配置される第２カバー部材４と、第１、第２の各ケース６、７を連結するケース連結部８に対応して第１、第２の各カバー部材３、４を折曲可能に連結するカバー連結部５とを備え、このカバー連結部５と反対側に位置する第１、第２の各カバー部材３、４の各角部に、第１、第２の各ケース６、７の各角部をそれぞれ着脱可能に保持する各保持部１５、２３を設け、且つ第１カバー部材３に、第１ケース６の後側の足部１４を係脱可能に係止する足係止部１８を設けた構成であるから、第１、第２の各カバー部材３、４を電子機器２の外表面に密着させて取り付けることができる。
【００３９】
すなわち、この保護カバー１では、電子辞書２の第１ケース６の裏面側に配置される第１カバー部材３の各角部と、電子辞書２の第２ケース７の外表面側に配置される第２カバー部材４の各角部とにそれぞれ設けられた各保持部１５、２３に、第１、第２の各ケース６、７の各角部をそれぞれ着脱可能に保持させ、この状態で第１カバー部材３に設けられた足係止部１８に、第１ケース６の後側の足部１４を係脱可能に係止させることにより、第１、第２の各カバー部材３、４を電子辞書２の外表面に密着させた状態で、長時間に亘り安定して取り付けることができる。これにより、電子辞書２を確実に且つ良好に保護することができると共に、第１、第２の各カバー部材３、４を電子辞書２に取り付けた状態で、電子辞書２を開閉操作することができ、且つ良好に携帯することができるので、使い勝手の良いものを得ることができる。
【００４０】
この場合、第１ケース６の後側の足部１４は、第１ケース６と第２ケース７とを所定角度（例えば１２０度の角度）に開いて第１ケース６を載置面Ｓ上に配置した際に第２ケース７の後方への倒れを防ぐために、第１ケース６からケース連結部５側の後方に向けて突出した状態で、第１ケース６の裏面に対応する電池蓋１２の下面に設けられており、第１カバー部材３の足係止部１８は、第１ケース６の足部１４が挿入する挿入凹部１８ａと、第１ケース６からケース連結部５側の後方に向けて突出した足部１４の突出部分が係合する係合部１８ｂとを備えているので、足係止部１８によって第１ケース６を第１カバー部材３に確実に固定することができる。
【００４１】
すなわち、足係止部１８は、第１ケース６の後側の足部１４が足係止部１８の挿入凹部１８ａに上方から挿入することにより、第１ケース６の後側の足部１４が第１カバー部材３の上面における面方向のうち、左右方向（横方向）に位置ズレするのを規制することができる。また、このときには、第１ケース６からケース連結部８側に向けて突出した足部１４の突出部分が斜め上方から後方に向けて足係止部１８の係合部１８ｂに挿入して係合することにより、第１ケース６の後方への位置ズレを規制することができるほか、第１ケース６の足部１４が第１カバー部材３から上方に抜け出すのを規制することができる。これにより、第１ケース６を第１カバー部材３に対してガタツクことなく確実に取り付けることができる。
【００４２】
また、この保護カバー１では、第１ケース６の後側の足部１４が第１ケース６の裏面に対応する電池蓋１２の下面におけるケース連結部５側の両側にそれぞれ設けられ、第１カバー部材３が表地２０と内地２１との間に芯材２２を設けた構成で、足係止部１８が第１ケース６の後側の足部１４に対応する第１カバー部材３のカバー連結部５側の両側にそれぞれ設けられて係止連結部１９によって連結され、この係止連結部１９が第１カバー部材３の芯材２２内に埋設され、この状態で足係止部１８が第１カバー部材３の内地２１側に露出しているので、一対の足係止部１８を簡単に且つ強固に第１カバー部材３に取り付けることができると共に、一対の足係止部１８に第１ケース６の後側の足部１２を良好に係止させることができる。
【００４３】
すなわち、一対の足係止部１８は、帯板状の係止連結部１９によって連結され、この係止連結部１９が第１カバー部材３の芯材２２内に埋設されていることにより、一対の足係止部１８を第１カバー部材３に確実に且つ強固に取り付けることができると共に、一対の足係止部１８が係止連結部１９で連結されていても、係止連結部１９が第１ケース６の外部から見えないので、外観的にデザイン的にも好ましいものを得ることができる。また、このように係止連結部１９が第１カバー部材３の芯材２２内に埋設されていても、一対の足係止部１８が第１カバー部材３の内地２１側に露呈しているので、一対の足係止部１８に第１ケース６の後側の足部１２を容易に且つ良好に係止させることができる。
【００４４】
さらに、この保護カバー１によれば、第２カバー部材４が、第２ケース７に着脱可能に接着するゲル状の粘着部２６を備えているので、このゲル状の粘着部２６がその粘着力によって第２ケース７の外表面（図３では上面）に接着することにより、第２カバー部材４を第２ケース７に確実に且つ良好に密着させて取り付けることができる。これにより、第２ケース７を２つの保持部２３とゲル状の粘着部２６とで位置ズレを起こすことなく、第２カバー部材４に密着させた状態で確実に取り付けることができる。
【００４５】
このため、この保護カバー１では、電子辞書２を開いて使用する場合、第１カバー部材３が第１ケース６に密着して取り付けられ、第２カバー部材４が第２ケース２に密着して取り付けられていることにより、電子辞書２の第１ケース６と第２ケース７とがケース連結部８を中心に回転して開くと、ケース連結部８に対応するカバー連結部５がケース連結部８から離れる方向に向けて湾曲し、この湾曲したカバー連結部５が図２に示すように載置面Ｓ上に押し付けられるので、これによっても第２ケース７が後方に倒れるのを防ぐことができる。
【００４６】
また、この保護カバー１を電子辞書２から取り外す場合には、第２カバー部材４の粘着部２６を第２ケース７から引き離して、第２カバー部材４の２つの保持部２３を第２ケース７の各角部から離脱させることにより、第２カバー部材４を第２ケース７から取り外すことができる。この状態で、第１カバー部材３の一対の足係止部１８から第１ケース６の足部１４を離脱させて、第１カバー部材３の２つの保持部１５を第１ケース６の各角部から離脱させることにより、第１カバー部材３を第１ケース６から取り外すことができる。これにより、保護カバー１を電子辞書２から簡単に且つ容易に取り外すことができるので、電池交換や部品交換が容易にでき、これによっても使い勝手の良いものを得ることができる。
【００４７】
（実施形態２）
次に、図１１および図１２を参照して、この発明を適用した保護カバーの実施形態２について説明する。なお、図１〜図１０に示された実施形態１と同一部分には同一符号を付して説明する。
この保護カバー３０は、図１１に示すように、第１カバー部材３１を保持部１５側に位置する手前部側分３１ａと足係止部１８側に位置する後側部分３１ｂとに分割し、この分割された手前側部分３１ａと後側部分３１ｂとをファスナ３２によって切り離し可能に連結した構成であり、これ以外は実施形態１とほぼ同じ構成になっている。
【００４８】
すなわち、第１カバー部材３１は、前後方向における中間部分で分割され、これにより保持部１５側に位置する手前部側分３１ａと足係止部１８側に位置する後側部分３１ｂとに分割されている。この手前側部分３１ａの上面側における手前側の辺部、つまりカバー連結部５と反対側に位置する辺部の両側角部には、図１１に示すように、電子辞書２の第１ケース６の各角部を着脱可能に保持する２つの保持部１５が設けられている。
【００４９】
この保持部１５も、実施形態１と同様、塩化ビニルなどの軟質合成樹脂からなる帯状のものであり、その一端部が手前側部分３１ａにおける手前側の辺部に取り付けられ、他端部が手前側部分３１ａにおける手前側の辺部に隣接する側辺部に取り付けられ、その中間部に位置する箇所と手前側部分３１ａとの間に第１ケース６の角部が挿入することにより、第１ケース６の角部を保持し、これにより第１ケース６が第１カバー部材３１の手前側部分３１ａにおける手前側に向けて位置ズレするのを規制すると共に、第１ケース６の各角部が左右方向（横方向）に位置ズレするのを規制するように構成されている。
【００５０】
また、この手前側部分３１ａの上面側における手前側の中間部分、つまりカバー連結部５と反対側に位置する辺部の中間部分にも、図１１に示すように、ペンホルダ１６が２つの保持部１５の間に位置した状態で設けられている。このペンホルダ１６も、実施形態１と同様、ゴムや布などのシートをペン１７が挿入する程度の円筒状に折り曲げたものであり、その長手方向に沿う一側部が第１カバー部材３１の手前側部分３１ａの上面側における手前側の辺部に取り付けられている。
【００５１】
一方、第１カバー部材３１の後側部分３１ｂの上面側における後部側、つまりカバー連結部５側に位置する後辺部の両側には、図１１および図１２に示すように、第１ケース６の裏面側に位置する電池蓋１２に設けられた後側の足部１４を係脱可能に係止する一対の足係止部１８が帯板状の係止連結部１９によって連結された状態で設けられている。この一対の足係止部１８も、実施形態１と同様、接着剤が付着しにくく且つ第１ケース６の素材よりも軟らかいテフロン系のエラストマなどの合成樹脂からなり、第１ケース６の後側の各足部１４がそれぞれ上方から挿入する挿入凹部１８ａと、第１ケース６からケース連結部８側の後方に向けて突出した足部１４の突出部分がそれぞれ斜め上方から後方に向けて挿入することにより係合する係合部１８ｂとを備えている。
【００５２】
この第１カバー部材３１の手前側部分３１ａと後側部分３１ｂとは、図１２に示すように、それぞれ第１ケース６と反対側の下面側に位置する表地２０と第１ケース６の裏面に対面する上面側の内地２１との間に芯材２２を設けた構成になっている。この場合、手前側部分３１ａは、芯材２２の下面に表地２０が接着され、芯材２２の上面に内地２１が接着され、この状態で後側部分３１ｂ側に位置する辺部を除いて、表地２０の周囲が折り返されて内地２１の上面における周囲に重ね合わされ、この重ね合わされた周囲が縫合糸２８で縫合されている。
【００５３】
この縫合時には、図１２に示すように、各保持部１５の各端部とペンホルダ１６の一側部とが内地２１とその上面に折り返された表地２０との間に差し込まれて接着され、この状態で各保持部１５とペンホルダ１６が第１カバー部材３１に縫合されて取り付けられる。また、このときには、ファスナ３２の一側部（後述する第１ファスナ片３３）が後側部分３１ｂ側に位置する辺部における中芯２２ａと上芯２２ｂとの間に差し込まれて接着され、この状態でファスナ３２の一側部が第１カバー部材３１の手前側部分３１ａに縫合されて取り付けられる。
【００５４】
また、後側部分３１ｂは、芯材２２の下面に表地２０が接着され、芯材２２の上面に内地２１を配置する際、上芯２２ｂから上方に突出した一対の足係止部１８が内地２１の上側足挿入孔２５に下側から挿入して上方に突出し、この状態で芯材２２の上面に内地２１が接着され、この後、手前側部分３１ａ側に位置する辺部を除いて表地２０の周囲が上方に向けて折り曲げられ、この折り曲げられた表地２０の周囲が内地２１の上面における周囲に折り返されて重ね合わされ、この重ね合わされた周囲が縫合糸２８で縫合された構成になっている。
【００５５】
この縫合時にも、図１２に示すように、ファスナ３２の他側部（後述する第２ファスナ片３４）が後側部分３１ｂの中芯２２ａと上芯２２ｂとの間に差し込まれて接着され、この状態でファスナ３２の他側部が後側部分３１ｂに縫合によって取り付けられている。これにより、手前側部分３１ａと後側部分３１ｂとは、図１１に示すように、ファスナ３２によって切り離し可能に連結されている。
【００５６】
この場合、ファスナ３２は、図１１および図１２に示すように、手前側部分３１ａに取り付けられて第１噛合部３３ａを有する第１ファスナ片３３と、後側部分３１ｂに取り付けられて第２噛合部３４ａを有する第２ファスナ片３４と、第１、第２の各ファスナ片３３、３４の第１、第２の各噛合部３３ａ、３４ａをスライド操作によって係脱可能に係合させる操作子３５とを備えている。
【００５７】
次に、この保護カバー３０を電子辞書２に取り付ける場合について説明する。
まず、第１カバー部材３１に電子辞書２の第１ケース６を取り付ける。このときには、予め、第１カバー部材３１のファスナ３２を切り離す。すなわち、ファスナ３２の操作子３５をスライドさせて、第１、第２の各ファスナ片３３、３４の第１、第２の各噛合部３３ａ、３４ａを切り離すことにより、第１カバー部材３１を手前側部分３１ａと後側部分３１ｂとに分離する。
【００５８】
この状態で、手前側部分３１ａに設けられた各保持部１５に、第１ケース６の各角部を挿入させて保持する。また、後側部分３１ｂに設けられた一対の足係止部１８に、第１ケース６の裏面に対応する電池蓋１２の下面に設けられた後側の足部１４を係止させる。この状態で、ファスナ３２の操作子３５をスライドさせて、第１、第２の各ファスナ片３３、３４の第１、第２の各噛合部３３ａ、３４ａを噛み合わせると、第１、第２の各ファスナ片３３、３４が連結されて、手前側部分３１ａと後側部分３１ｂとが互いに接近する。これにより、手前側部分３１ａと後側部分３１ｂとがファスナ３２によって連結されると共に、この連結された第１カバー部材３１に第１ケース６が２つの保持部１５と一対の足係止部１８とによって密着した状態で確実に取り付けられる。
【００５９】
この後、第２カバー部材４に電子辞書２の第２ケース７を取り付ける。このときには、実施形態１と同様、第２カバー部材４に設けられた各保持部２３に、第２ケース７の各角部を挿入させて保持する。この状態で、第２ケース７を第２カバー部材４に押し付けると、第２カバー部材４に取付部材２５によって取り付けられたゲル状の粘着部２６が第２ケース７に接着する。これにより、第２ケース７は、２つの保持部２３とゲル状の粘着部２６とによって、第２カバー部材４に密着した状態で確実に取り付けられる。
【００６０】
このように、この保護カバー３０によれば、実施形態１と同様の作用効果があるほか、第１カバー部材３１が手前側部分３１ａと後側部分３１ｂとに分割され、この分割された手前側部分３１ａと後側部分３１ｂとがファスナ３２によって切り離し可能に連結されているので、ファスナ３２の開閉操作によって、第１カバー部材３１に電子辞書２を簡単に取り付けることができると共に簡単に取り外すことができる。
【００６１】
すなわち、第１カバー部材３１に電子辞書２の第１ケース６を取り付けるときには、ファスナ３２を開いて第１カバー部材３１を手前側部分３１ａと後側部分３１ｂとに分離することにより、第１ケース６の各角部を手前側部分３１ａの各保持部１５に容易に保持させることができると共に、第１ケース６の後側の足部１４を後側部分３１ａの足係止部１８に容易に係止させることができ、この状態でファスナ３２を閉めて手前側部分３１ａと後側部分３１ｂとを互いに引き寄せて連結することにより、第１カバー部材３１に第１ケース６を確実に取り付けることができる。
【００６２】
また、第１カバー部材３１を第１ケース６から取り外すときには、ファスナ３２を開いて第１カバー部材３１を手前側部分３１ａと後側部分３１ｂとに分離することにより、第１ケース６の各角部を手前側部分３１ａの各保持部１５から容易に離脱させることができると共に、第１ケース６の後側の足部１４を後側部分３１ａの足係止部１８から容易に取り外すことができ、これにより第１カバー部材３１から第１ケース６を簡単に取り外すことができる。
【００６３】
なお、上記実施形態１、２では、保護カバー１、３０が取り付けられる電子機器として電子辞書２に適用した場合について述べたが、必ずしも電子辞書２である必要はなく、電子式小型計算機、携帯情報端末機（ＰＤＡ：パーソナル・デジタル・アシスタント）、携帯型のパーソナルコンピュータなどの各種の折畳式の電子機器に広く適用することができる。
【図面の簡単な説明】
【００６４】
【図１】この発明を適用した保護カバーを電子辞書に取り付けて使用する状態を示した実施形態１の正面図である。
【図２】図１の側面図である。
【図３】図１の電子辞書を折り畳んで重ね合わせた状態を示した側面図である。
【図４】図１の電子辞書を示した側面図である。
【図５】図４の電子辞書を折り畳んで重ね合わせた状態を示した側面図である。
【図６】図５の電子辞書の裏面図である。
【図７】図１の保護カバーを示した斜視図である。
【図８】図７の保護カバーの第１カバー部材を分解した斜視図である。
【図９】図７の保護カバーの各断面を示し、（ａ）は図７のＡ−Ａ矢視における要部の拡大断面図、図７のＢ−Ｂ矢視における要部の拡大断面図である。
【図１０】図７のＣ−Ｃ矢視における拡大断面図である。
【図１１】この発明を適用した保護カバーの実施形態２を示した斜視図である。
【図１２】図１１のＤ−Ｄ矢視における要部の拡大断面図である。
【符号の説明】
【００６５】
１、３０  保護カバー
２  電子辞書
３、３１  第１カバー部材
３１ａ  手前側部分
３１ｂ  後側部分
４  第２カバー部材
５  カバー連結部
６  第１ケース
７  第２ケース
８  ケース連結部
１４  足部
１５、２３  保持部
１８  足係止部
１８ａ  挿入凹部
１８ｂ  係止部
２０  表地
２１  内地
２２  芯材
２６  粘着部
３２  ファスナ
【図１】
0004569619.tif 000002
【図２】
0004569619.tif 000003
【図３】
0004569619.tif 000004
【図４】
0004569619.tif 000005
【図５】
0004569619.tif 000006
【図６】
0004569619.tif 000007
【図７】
0004569619.tif 000008
【図８】
0004569619.tif 000009
【図９】
0004569619.tif 000010
【図１０】
0004569619.tif 000011
【図１１】
0004569619.tif 000012
【図１２】
0004569619.tif 000013